(57)【要約】  本開示は、デマルチプレクサ、アレイ基板、及び表示装置を提供する。前記アレイ基板は、複数のデータ線配線と、並列に配置された複数のデータ線と、前記デマルチプレクサとを含む。前記デマルチプレクサは、平行に配置された第１から第３のコントロールゲート線と、第１から第６の薄膜トランジスタとを有する。第１から第３の薄膜トランジスタは、デマルチプレクサの、前記第１制御ゲート線に隣接する側に位置し、第４から第６の薄膜トランジスタは、デマルチプレクサの、前記第３の制御ゲート線に隣接する側に位置し、第１から第６の薄膜トランジスタのドレインは、前記複数のデータ線における対応するデータ線にそれぞれ接続される。
2021520055.tif 000002
【特許請求の範囲】
【請求項１】
第１から第６の薄膜トランジスタを含むデマルチプレクサであって、
前記第１から第３の薄膜トランジスタは、前記デマルチプレクサにおいて同一の側に位置し、前記第４から第６の薄膜トランジスタは、前記デマルチプレクサにおいて前記第１から第３の薄膜トランジスタと対向する他側に位置し、
前記第１から第３の薄膜トランジスタのソースは互いに接続されて前記デマルチプレクサの第１の入力端を形成し、
前記第４から第６の薄膜トランジスタのソースは互いに接続されて前記デマルチプレクサの第２の入力端を形成し、
前記第１から第６の薄膜トランジスタのドレインは、それぞれ前記デマルチプレクサの第１から第６の出力端として機能し、
前記第１の薄膜トランジスタ及び前記第５の薄膜トランジスタのゲートは第１の制御端に接続され、前記第３の薄膜トランジスタ及び前記第４の薄膜トランジスタのゲートは第２の制御端に接続され、前記第２の薄膜トランジスタ及び前記第６の薄膜トランジスタのゲートは第３の制御端に接続される、デマルチプレクサ。
【請求項２】
前記第１から第３の薄膜トランジスタのチャネル幅の比率の和は１０より大きく、前記第４から第６の薄膜トランジスタのチャネル幅の比率の和は１０より大きい、請求項１に記載のデマルチプレクサ。
【請求項３】
前記第１の薄膜トランジスタのソース及び前記第２の薄膜トランジスタのソースは、前記第１の薄膜トランジスタ及び前記第２の薄膜トランジスタが共用する第１の共用ソースであり、
前記第４の薄膜トランジスタのソース及び前記第５の薄膜トランジスタのソースは、前記第４の薄膜トランジスタ及び前記第５の薄膜トランジスタが共用する第２の共用ソースである、請求項１又は２に記載のデマルチプレクサ。
【請求項４】
第１のデータ線配線及び第２のデータ線配線と、第１から第６のデータ線と、請求項１に記載のデマルチプレクサとを含み、
前記第１から第３の制御端は、平行に配置された第１から第３のコントロールゲート線として設けられ、
前記第１から第３の薄膜トランジスタは、前記デマルチプレクサの、前記第１のコントロールゲート線に隣接しかつ前記第３のコントロールゲート線から離隔する側に位置し、前記第４から第６の薄膜トランジスタは、前記デマルチプレクサの、前記第３のコントロールゲート線に隣接しかつ前記第１のコントロールゲート線から離隔する側に位置し、
前記第１の入力端は、前記第１のデータ線配線に接続され、
前記第２の入力端は、前記第２のデータ線配線に接続され、
前記第１から第６の出力端として機能する前記第１から第６の薄膜トランジスタのドレインは、前記第１から第３の薄膜トランジスタのドレインが前記第１のデータ線、前記第３のデータ線、前記第５のデータ線にそれぞれ接続されるように配置され、前記第４から第６の薄膜トランジスタのドレインは、前記第２のデータ線、前記第４のデータ線、前記第６のデータ線にそれぞれ接続される、アレイ基板。
【請求項５】
前記第１の入力端は前記第１のデータ線配線と一体的に形成され、前記第２の入力端は前記第２のデータ線配線と一体的に形成される、請求項４に記載のアレイ基板。
【請求項６】
前記第１のデータ線配線及び前記第２のデータ線配線は、前記アレイ基板の、前記第１のコントロールゲート線に隣接しかつ前記第３のコントロールゲート線から離隔する側に位置し、前記第１から第６のデータ線は、前記アレイ基板の、前記第３のコントロールゲート線に隣接しかつ前記第１のコントロールゲート線から離隔する側に位置する、請求項５に記載のアレイ基板。
【請求項７】
前記第１から第６の薄膜トランジスタのゲートは、前記第１から第３のコントロールゲート線と異なる層に設けられ、前記第１から第６の薄膜トランジスタのソース及びドレイン、前記第１から第６のデータ線、前記第１のデータ線配線及び第２のデータ線配線は、前記第１から第３のコントロールゲート線と同じ層に設けられる、請求項５又は６に記載のアレイ基板。
【請求項８】
前記デマルチプレクサは、第１から第６のゲート接続部、配線接続部及び第１のデータ線接続部、第３のデータ線接続部及び第５のデータ線接続部をさらに含み、
前記第１から第３の薄膜トランジスタのゲートは、それぞれ前記第１から第３のゲート接続部を介して前記第１のコントロールゲート線、前記第３のコントロールゲート線、前記第２のコントロールゲート線に接続され、前記第４から第６の薄膜トランジスタのゲートは、それぞれ前記第４から第６のゲート接続部を介して前記第２のコントロールゲート線、前記第１のコントロールゲート線、前記第３のコントロールゲート線に接続され、
前記配線接続部は、前記第２のデータ線配線を前記第４から第６の薄膜トランジスタのソースと接続するように配置され、
前記第１のデータ線接続部、第３のデータ線接続部、第５のデータ線接続部は、前記第１のデータ線、前記第３のデータ線、前記第５のデータ線を、前記第１から第３の薄膜トランジスタのドレインにそれぞれ接続するように配置される、請求項５〜７のいずれか一項に記載のアレイ基板。
【請求項９】
前記配線接続部は、第１の配線接続部と第２の配線接続部とを含み、前記第１の配線接続部は、前記第１から第３のコントロールゲート線と異なる層に設けられ、かつ前記第２のデータ線配線と前記第２の配線接続部にそれぞれ接続され、前記第２の配線接続部は、前記第４から第６の薄膜トランジスタのソースに接続され、かつ前記第１から第３のコントロールゲート線と同じ層に設けられる、請求項８に記載のアレイ基板。
【請求項１０】
前記第１から第６の薄膜トランジスタのゲートは、前記第１から第６のゲート接続部と同じ層に設けられる、請求項８に記載のアレイ基板。
【請求項１１】
前記第１のデータ線接続部は、前記第１のデータ線及び前記第１の薄膜トランジスタのドレインに接続され、かつ前記第１から第３のコントロールゲート線と異なる層に設けられ、
前記第３のデータ線接続部は、第１のブランチ部、第２のブランチ部、第３のブランチ部を含み、前記第２のブランチ部は、前記第１のブランチ部と前記第３のブランチ部との間に接続され、前記第１のブランチ部は、前記第３のデータ線と異なる層に設けられ、前記第４のデータ線と交差して設けられ、さらに、前記第３のデータ線及び前記第２のブランチ部に接続され、前記第３のブランチ部は、前記第１から第３のコントロールゲート線と交差し、かつ異なる層に設けられ、前記第２のブランチ部及び前記第２の薄膜トランジスタのドレインに接続され、
前記第５のデータ線接続部は、前記第５のデータ線及び前記第３の薄膜トランジスタのドレインに接続され、前記第１から第３のコントロールゲート線と交差し、かつ異なる層に設けられる、請求項８に記載のアレイ基板。
【請求項１２】
前記第１から第６の薄膜トランジスタのゲートは、前記第１から第３のコントロールゲート線と同じ層に設けられ、かつ前記第１から第６の薄膜トランジスタのソース及びドレイン、前記第１から第６のデータ線、前記第１のデータ線配線及び第２のデータ線配線は、前記第１から第３のコントロールゲート線と異なる層に設けられる、請求項５又は６に記載のアレイ基板。
【請求項１３】
前記デマルチプレクサは、第１から第６のゲート接続部、配線接続部及び第１のデータ線接続部、第３のデータ線接続部及び第５のデータ線接続部をさらに含み、
前記第１から第３の薄膜トランジスタのゲートは、それぞれ前記第１から第３のゲート接続部を介して前記第１のコントロールゲート線、前記第３のコントロールゲート線、前記第２のコントロールゲート線に接続され、前記第４から第６の薄膜トランジスタのゲートは、それぞれ前記第４から第６のゲート接続部を介して前記第２のコントロールゲート線、前記第１のコントロールゲート線、前記第３のコントロールゲート線に接続され、
前記配線接続部は、前記第２のデータ線配線を前記第４から第６の薄膜トランジスタのソースに接続するように配置され、
前記第１のデータ線接続部、第３のデータ線接続部、第５のデータ線接続部は、前記第１のデータ線、前記第３のデータ線、前記第５のデータ線を、前記第１から第３の薄膜トランジスタのドレインにそれぞれ接続するように配置される、請求項１２に記載のアレイ基板。
【請求項１４】
前記配線接続部は、第１の配線接続部と第２の配線接続部とを含み、前記第１の配線接続部は、前記第１から第３のコントロールゲート線と異なる層に設けられ、かつ前記第２のデータ線配線及び前記第２の配線接続部とそれぞれ接続され、前記第２の配線接続部は、前記第４から第６の薄膜トランジスタのソースに接続され、かつ前記第１から第３のコントロールゲート線と同じ層に設けられる、請求項１３に記載のアレイ基板。
【請求項１５】
前記第１から第６の薄膜トランジスタのゲートは、前記第１から第６のゲート接続部と異なる層に設けられる、請求項１３に記載のアレイ基板。
【請求項１６】
前記第１のデータ線接続部は、前記第１のデータ線及び前記第１の薄膜トランジスタのドレインに接続され、かつ前記第１から第３のコントロールゲート線と異なる層に設けられ、
前記第３のデータ線接続部は、第１のブランチ部、第２のブランチ部、第３のブランチ部を含み、前記第２のブランチ部は、前記第１のブランチ部と前記第３のブランチ部との間に接続され、前記第１のブランチ部は、前記第３のデータ線と異なる層に設けられ、前記第４のデータ線と交差して配置され、さらに、前記第３のデータ線及び前記第２のブランチ部と接続され、前記第３のブランチ部は、前記第１から第３のコントロールゲート線と交差し、かつ異なる層に設けられ、前記第２のブランチ部及び前記第２の薄膜トランジスタのドレインに接続され、
前記第５のデータ線接続部は、前記第５のデータ線及び前記第３の薄膜トランジスタのドレインに接続され、前記第１から第３のコントロールゲート線と交差し、かつ異なる層に設けられる、請求項１３に記載のアレイ基板。
【請求項１７】
前記第１から第３の薄膜トランジスタは、前記第１から第３のコントロールゲート線の延在方向に沿って順に配列され、
前記第４から第６の薄膜トランジスタは、前記第１から第３のコントロールゲート線の延在方向に沿って順に配列され、
前記第１から第６のデータ線は、前記第１から第３のコントロールゲート線の延在方向に沿って順に配列される、請求項４に記載のアレイ基板。
【請求項１８】
前記第１から第３の薄膜トランジスタのチャネル幅の比率の和は１０より大きく、前記第４から第６の薄膜トランジスタのチャネル幅の比率の和は１０より大きい、請求項４〜６のいずれか１項に記載のアレイ基板。
【請求項１９】
前記第１の薄膜トランジスタのソース及び前記第２の薄膜トランジスタのソースは、前記第１の薄膜トランジスタ及び前記第２の薄膜トランジスタが共用する第１の共用ソースであり、
前記第４の薄膜トランジスタのソース及び前記第５の薄膜トランジスタのソースは、前記第４の薄膜トランジスタ及び前記第５の薄膜トランジスタが共用する第２の共用ソースである、請求項１８に記載のアレイ基板。
【請求項２０】
ベース基板と、第１の絶縁層と、第２の絶縁層とをさらに備え、
前記第１から第６の薄膜トランジスタの活性層が前記ベース基板上に配置され、
前記第１の絶縁層は、前記ベース基板上、かつ前記第１から第６の薄膜トランジスタの活性層の上方に配置され、
前記第１から第６の薄膜トランジスタのゲートが前記第１の絶縁層上に配置され、
前記第２の絶縁層は、前記第１の絶縁層上、かつ前記第１から第６の薄膜トランジスタのゲートの上方に配置され、
前記第１から第６の薄膜トランジスタのソース及びドレイン、前記第１から第３のコントロールゲート線、前記第１のデータ線配線及び第２のデータ線配線、前記第１から第６のデータ線が前記第２の絶縁層上に配置される、請求項１９に記載のアレイ基板。
【請求項２１】
ベース基板と、第１の絶縁層と、第２の絶縁層とをさらに備え、
前記第１から第６の薄膜トランジスタのゲートが前記ベース基板上に配置され、
前記第１の絶縁層は、前記ベース基板上、かつ前記第１から第６の薄膜トランジスタのゲートの上方に配置され、
前記第１から第６の薄膜トランジスタの活性層が前記第１の絶縁層上に配置され、
前記第２の絶縁層は、前記第１の絶縁層上、かつ前記第１から第６の薄膜トランジスタの活性層の上方に配置され、
前記第１から第６の薄膜トランジスタのソース及びドレイン、前記第１から第３のコントロールゲート線、前記第１のデータ線配線及び第２のデータ線配線、前記第１から第６のデータ線が前記第２の絶縁層上に配置される、請求項１９に記載のアレイ基板。
【請求項２２】
請求項４〜２１のいずれか１項に記載のアレイ基板を含む表示装置。
【発明の詳細な説明】
【技術分野】
【０００１】
（関連出願の相互参照）
本開示は、２０１８年５月４日に提出された中国特許出願Ｎｏ．２０１８２０６５９３４９．Ｘの優先権を主張し、この中国特許出願のすべての内容を参照により本願に援用する。
【０００２】
本開示は、表示技術分野に関し、特に、デマルチプレクサ、それを備えたアレイ基板、および表示装置に関するものである。
【背景技術】
【０００３】
表示装置は、携帯電話、ノート型パソコン、パーソナルコンピュータ、携帯情報端末などの家庭用電気機械器具に広く用いられている。表示装置の狭額縁化の要求により、デマルチプレクサ、データ線及びその引き回し配線を、高解像度で中小サイズの表示パネル上において完結させるということが大きな課題となっている。
【発明の概要】
【課題を解決するための手段】
【０００４】
本開示は、第１から第６の薄膜トランジスタを含むデマルチプレクサを提供する。前記第１から第３の薄膜トランジスタは、前記デマルチプレクサにおいて同一の側に位置し、前記第４から第６の薄膜トランジスタは、前記デマルチプレクサにおいて前記第１から第３の薄膜トランジスタと対向する他端に位置し、前記第１から第３の薄膜トランジスタのソースは互いに接続されて前記デマルチプレクサの第１の入力端を形成し、前記第４から第６の薄膜トランジスタのソースは互いに接続されて前記デマルチプレクサの第２の入力端を形成し、前記第１から第６の薄膜トランジスタのドレインは、それぞれ前記デマルチプレクサの第１から第６の出力端として機能し、前記第１の薄膜トランジスタ及び前記第５の薄膜トランジスタのゲートは第１の制御端に接続され、前記第３の薄膜トランジスタ及び前記第４の薄膜トランジスタのゲートは第２の制御端に接続され、前記第２の薄膜トランジスタ及び前記第６の薄膜トランジスタのゲートは第３の制御端に接続される。
【０００５】
本開示は、第１のデータ線配線及び第２のデータ線配線と、第１から第６のデータ線と、上記のデマルチプレクサとを含むアレイ基板を提供する。前記第１から第３の制御端は、平行に配置された第１から第３のコントロールゲート線として設けられ、前記第１から第３の薄膜トランジスタは、前記デマルチプレクサの、前記第１のコントロールゲート線に隣接しかつ前記第３のコントロールゲート線から離隔する側に位置し、前記第４から第６の薄膜トランジスタは、前記デマルチプレクサの、前記第３のコントロールゲート線に隣接しかつ前記第１のコントロールゲート線から離隔する側に位置し、前記第１の入力端は、前記第１のデータ線配線に接続され、前記第２の入力端は、前記第２のデータ線配線に接続され、前記第１から第６の出力端として機能する前記第１から第６の薄膜トランジスタのドレインは、前記第１から第３の薄膜トランジスタのドレインが前記第１のデータ線、前記第３のデータ線、前記第５のデータ線にそれぞれ接続されるように配置され、前記第４から第６の薄膜トランジスタのドレインは、前記第２のデータ線、前記第４のデータ線、前記第６のデータ線にそれぞれ接続される。
【０００６】
一部の実施例において、前記第１の入力端は前記第１のデータ線配線と一体的に形成され、前記第２の入力端は前記第２のデータ線配線と一体的に形成される。
【０００７】
一部の実施例において、前記第１のデータ線配線及び前記第２のデータ線配線は、前記アレイ基板の、前記第１のコントロールゲート線に隣接しかつ前記第３のコントロールゲート線から離隔する側に位置し、前記第１から第６のデータ線は、前記アレイ基板の、前記第３のコントロールゲート線に隣接しかつ前記第１のコントロールゲート線から離隔する側に位置する。
【０００８】
一部の実施例において、前記第１から第６の薄膜トランジスタのゲートは、前記第１から第３のコントロールゲート線と異なる層に設けられ、前記第１から第６の薄膜トランジスタのソース及びドレイン、前記第１から第６のデータ線、前記第１のデータ線配線及び第２のデータ線配線は、前記第１から第３のコントロールゲート線と同じ層に設けられる。
【０００９】
一部の実施例において、前記デマルチプレクサは、第１から第６のゲート接続部、配線接続部及び第１のデータ線接続部、第３のデータ線接続部及び第５のデータ線接続部をさらに含み、前記第１から第３の薄膜トランジスタのゲートは、それぞれ前記第１から第３のゲート接続部を介して前記第１のコントロールゲート線、前記第３のコントロールゲート線、前記第２のコントロールゲート線に接続され、前記第４から第６の薄膜トランジスタのゲートは、それぞれ前記第４から第６のゲート接続部を介して前記第２のコントロールゲート線、前記第１のコントロールゲート線、前記第３のコントロールゲート線に接続され、前記配線接続部は、前記第２のデータ線配線を前記第４から第６の薄膜トランジスタのソースと接続するように配置され、前記第１のデータ線接続部、第３のデータ線接続部、第５のデータ線接続部は、前記第１のデータ線、前記第３のデータ線、前記第５のデータ線を、前記第１から第３の薄膜トランジスタのドレインにそれぞれ接続するように配置される。
【００１０】
一部の実施例において、前記配線接続部は、第１の配線接続部と第２の配線接続部とを含み、前記第１の配線接続部は、前記第１から第３のコントロールゲート線と異なる層に設けられ、かつ前記第２のデータ線配線と前記第２の配線接続部にそれぞれ接続され、前記第２の配線接続部は、前記第４から第６の薄膜トランジスタのソースに接続され、かつ前記第１から第３のコントロールゲート線と同じ層に設けられる。
【００１１】
一部の実施例において、前記第１から第６の薄膜トランジスタのゲートは、前記第１から第６のゲート接続部と同じ層に設けられる。
【００１２】
一部の実施例において、前記第１のデータ線接続部は、前記第１のデータ線及び前記第１の薄膜トランジスタのドレインに接続され、かつ前記第１から第３のコントロールゲート線と異なる層に設けられ、前記第３のデータ線接続部は、第１のブランチ部、第２のブランチ部、第３のブランチ部を含み、前記第２のブランチ部は、前記第１のブランチ部と前記第３のブランチ部との間に接続され、前記第１のブランチ部は、前記第３のデータ線と異なる層に設けられ、前記第４のデータ線と交差して設けられ、さらに、前記第３のデータ線及び前記第２のブランチ部に接続され、前記第３のブランチ部は、前記第１から第３のコントロールゲート線と交差し、かつ異なる層に設けられ、前記第２のブランチ部及び前記第２の薄膜トランジスタのドレインに接続され、前記第５のデータ線接続部は、前記第５のデータ線及び前記第３の薄膜トランジスタのドレインに接続され、前記第１から第３のコントロールゲート線と交差し、かつ異なる層に設けられる。
【００１３】
一部の実施例において、前記第１から第６の薄膜トランジスタのゲートは、前記第１から第３のコントロールゲート線と同じ層に設けられ、かつ前記第１から第６の薄膜トランジスタのソース及びドレイン、前記第１から第６のデータ線、前記第１のデータ線配線及び第２のデータ線配線は、前記第１から第３のコントロールゲート線と異なる層に設けられる。
【００１４】
一部の実施例において、前記第１から第６の薄膜トランジスタのゲートは、前記第１から第６のゲート接続部と異なる層に設けられる。
【００１５】
一部の実施例において、前記第１から第３の薄膜トランジスタは、前記第１から第３のコントロールゲート線の延在方向に沿って順に配列され、前記第４から第６の薄膜トランジスタは、前記第１から第３のコントロールゲート線の延在方向に沿って順に配列され、前記第１から第６のデータ線は、前記第１から第３のコントロールゲート線の延在方向に沿って順に配列される。
【００１６】
一部の実施例において、前記第１から第３の薄膜トランジスタのチャネル幅の比率の和は１０より大きく、前記第４から第６の薄膜トランジスタのチャネル幅の比率の和は１０より大きい。
【００１７】
一部の実施例において、前記第１の薄膜トランジスタのソース及び前記第２の薄膜トランジスタのソースは、前記第１の薄膜トランジスタ及び前記第２の薄膜トランジスタが共用する第１の共用ソースであり、前記第４の薄膜トランジスタのソース及び前記第５の薄膜トランジスタのソースは、前記第４の薄膜トランジスタ及び前記第５の薄膜トランジスタが共用する第２の共用ソースである。
【００１８】
一部の実施例において、前記アレイ基板は、ベース基板と、第１の絶縁層と、第２の絶縁層とをさらに備える。前記第１から第６の薄膜トランジスタの活性層が前記ベース基板上に配置され、前記第１の絶縁層は、前記ベース基板上、かつ前記第１から第６の薄膜トランジスタの活性層の上方に配置され、前記第１から第６の薄膜トランジスタのゲートが前記第１の絶縁層上に配置され、前記第２の絶縁層は、前記第１の絶縁層上、かつ前記第１から第６の薄膜トランジスタのゲートの上方に配置され、前記第１から第６の薄膜トランジスタのソース及びドレイン、前記第１から第３のコントロールゲート線、前記第１のデータ線配線及び第２のデータ線配線、前記第１から第６のデータ線が前記第２の絶縁層上に配置される。
【００１９】
一部の実施例において、前記アレイ基板は、ベース基板と、第１の絶縁層と、第２の絶縁層とをさらに備える。前記第１から第６の薄膜トランジスタのゲートが前記ベース基板上に配置され、前記第１の絶縁層は、前記ベース基板上、かつ前記第１から第６の薄膜トランジスタのゲートの上方に配置され、前記第１から第６の薄膜トランジスタの活性層が前記第１の絶縁層上に配置され、前記第２の絶縁層は、前記第１の絶縁層上、かつ前記第１から第６の薄膜トランジスタの活性層の上方に配置され、前記第１から第６の薄膜トランジスタのソース及びドレイン、前記第１から第３のコントロールゲート線、前記第１のデータ線配線及び第２のデータ線配線、前記第１から第６のデータ線が前記第２の絶縁層上に配置される。
【００２０】
本開示は、上記のアレイ基板を含む表示装置をさらに提供する。
【図面の簡単な説明】
【００２１】
【図１】本開示の実施例によって提供されるデマルチプレクサの概略図である。
【図２】本開示の実施例によるアレイ基板の上面図である。
【図３ａ】本開示の実施例による、図２の線Ａ−Ａに沿った断面図である。
【図３ｂ】本開示の実施例による、図２の線Ｂ−Ｂに沿った断面図である。
【図４ａ】本開示の別の実施例による、図２の線Ａ−Ａに沿った断面図である。
【図４ｂ】本開示のこの別の実施例による、図２の線Ｂ−Ｂに沿った断面図である。
【発明を実施するための形態】
【００２２】
当業者が本開示の技術案をよりよく理解できるように、本開示が提供するデマルチプレクサ、アレイ基板及び表示装置について図面を参照しながら以下に詳細に説明する。
【００２３】
図１及び図２を参照すると、本開示の実施例によるデマルチプレクサは、第１から第６の薄膜トランジスタを含む。前記第１から第３の薄膜トランジスタは、前記デマルチプレクサにおいて同一の側に位置し、前記第４から第６の薄膜トランジスタは、前記デマルチプレクサにおいて前記第１から第３の薄膜トランジスタと対向する他端に位置する。前記第１から第３の薄膜トランジスタのソース１３、１３、３３は互いに接続されて前記デマルチプレクサの第１の入力端ＩＮ１を形成する。前記第４から第６の薄膜トランジスタのソース４３、４３、６３は互いに接続されて前記デマルチプレクサの第２の入力端ＩＮ２を形成する。前記第１から第６の薄膜トランジスタのドレイン１２、２２、３２、４２、５２、６２は、それぞれ前記デマルチプレクサの第１の出力端ＯＵＴ１から第６の出力端ＯＵＴ６として機能する。前記第１の薄膜トランジスタ及び前記第５の薄膜トランジスタのゲート１１、５１は第１の制御端ＣＲＬ１に接続され、前記第３の薄膜トランジスタ及び前記第４の薄膜トランジスタのゲート３１、４１は第２の制御端ＣＲＬ２に接続され、前記第２の薄膜トランジスタ及び前記第６の薄膜トランジスタのゲート２１、６１は第３の制御端ＣＲＬ３に接続される。
【００２４】
図２を参照すると、本開示の実施例では、非表示領域に位置する第１のデータ線配線２０１及び第２のデータ線配線２０２、第１のデータ線１０１から第６のデータ線１０６、及び図１に示すデマルチプレクサを含むアレイ基板を提供する。
【００２５】
図１及び図２に示すように、本開示の実施例によるアレイ基板では、第１の制御端ＣＲＬ１から第３の制御端ＣＲＬ３は、平行に配置された第１のコントロールゲート線３０１から第３のコントロールゲート線３０３として設けられる。第１から第３の薄膜トランジスタは、デマルチプレクサの、第１のコントロールゲート線３０１に隣接しかつ第３のコントロールゲート線３０３から離隔する側に位置し、第１のコントロールゲート線３０１から第３のコントロールゲート線３０３の延在方向に沿って順に配列される。第４から第６の薄膜トランジスタは、デマルチプレクサの、第３のコントロールゲート線３０３に隣接しかつ第１のコントロールゲート線３０１から離隔する側に位置し、第１のコントロールゲート線３０１から第３のコントロールゲート線３０３の延在方向に沿って順に配列される。第１の入力端ＩＮ１は第１のデータ線配線２０１に接続される。第２の入力端ＩＮ２は第２のデータ線配線２０２に接続される。前記第１の出力端ＯＵＴ１から第６の出力端ＯＵＴ６として機能する第１の薄膜トランジスタから第６の薄膜トランジスタのドレインは、第１のデータ線１０１から第６のデータ線１０６における対応するデータ線にそれぞれ接続される。第１のデータ線１０１から第６のデータ線１０６は、第１のコントロールゲート線３０１から第３のコントロールゲート線３０３の延在方向に沿って順に配列される。
【００２６】
これにより、デマルチプレクサ、データ線及びその配線の、パネル上の配線スペースを節約することができ、中小サイズの表示パネル上の配線を有利に完結することができる。
【００２７】
本開示の実施例において、第１の入力端ＩＮ１は第１のデータ線配線２０１と一体的に形成され、第２の入力端ＩＮ２は第２のデータ線配線２０２と一体的に形成される。
【００２８】
通常、データ線配線は、ドライバチップから表示駆動信号を受け取るためのもので、デマルチプレクサは、１つの信号を複数の信号に分離するためのもので、データ線は、デマルチプレクサによって分離された信号を後続の装置に伝送するためのものである。
【００２９】
以下では、薄膜トランジスタ、データ線及びその配線と制御ゲート線の接続方法について詳述する。具体的には、図２に示すように、第１から第３の薄膜トランジスタのソース１３、１３、３３は、第１のデータ線配線２０１に接続される。第４から第６の薄膜トランジスタのソース４３、４３、６３は第２のデータ線配線２０２に接続される。
【００３０】
本開示の実施例において、第１から第３の薄膜トランジスタのゲート１１、２１、３１は、第１のコントロールゲート線３０１、第３のコントロールゲート線３０３、第２のコントロールゲート線３０２にそれぞれ接続される。第４から第６の薄膜トランジスタのゲート４１、５１、６１は、第２のコントロールゲート線３０２、第１のコントロールゲート線３０１、第３のコントロールゲート線３０３にそれぞれ接続される。
【００３１】
本開示の実施例において、第１から第３の薄膜トランジスタのドレイン１２、２２、３２は、第１のデータ線１０１、第３のデータ線１０３、第５のデータ線１０５にそれぞれ接続され、第４から第６の薄膜トランジスタのドレイン４２、５２、６２は、第２のデータ線１０２、第４のデータ線１０４、第６のデータ線１０６にそれぞれ接続される。
【００３２】
本開示の実施例において、アレイ基板と貼り合わせられるカラーフィルタ基板は複数の画素ユニットを備え、各画素ユニットに赤色サブ画素、緑色サブ画素、青色サブ画素を含み、第１のデータ線１０１及び第４のデータ線１０４は、前記複数の画素ユニットのうちの互いに隣接する第１の画素ユニット及び第２の画素ユニットの赤色サブ画素にそれぞれ対応し、第２のデータ線１０２及び第５のデータ線１０５は、第１の画素ユニット及び第２の画素ユニットの緑色サブ画素にそれぞれ対応し、第３のデータ線１０３及び第６のデータ線１０６は、第１の画素ユニット及び第２の画素ユニットの青色サブ画素にそれぞれ対応する。
【００３３】
第１のデータ線１０１、第２のデータ線１０２、第３のデータ線１０３は１つの画素ユニットの赤色サブ画素、緑色サブ画素、青色サブ画素に対応し、第４のデータ線１０４、第５のデータ線１０５、第６のデータ線１０６は隣接する他の画素ユニットの赤色サブ画素、緑色サブ画素、青色サブ画素に対応し、任意の隣接する２本のデータ線に接続された２つの薄膜トランジスタは互いに異なるデータ線配線に接続される。したがって、駆動ＩＣピンの削減、周辺回路面積の増加、回路消費電力の低減を伴うことなく、アレイ基板のドット反転及びカラム反転モードを実現することができ、表示画質の向上に寄与することができる。
【００３４】
本開示の実施例において、第１のデータ線配線２０１及び第２のデータ線配線２０２は、アレイ基板の、第１のコントロールゲート線３０１に隣接する側に位置し、第１のデータ線１０１から第６のデータ線１０６は、アレイ基板の、第３のコントロールゲート線３０３に隣接する側に位置し、すなわち、データ線配線とデータ線はそれぞれコントロールゲート線と対向する側に位置しており、配線スペースの節約に寄与することができる。
【００３５】
本開示の実施例において、第１から第６の薄膜トランジスタのゲートは、第１のコントロールゲート線３０１から第３のコントロールゲート線３０３と異なる層に設けられ、表示領域に位置する薄膜トランジスタのソース及びドレイン（図示せず）と異なる層に設けられる。第１から第６の薄膜トランジスタのソース及びドレイン、第１のデータ線１０１から第６のデータ線１０６、第１のデータ線配線２０１及び第２のデータ線配線２０２は、第１のコントロールゲート線３０１から第３のコントロールゲート線３０３と同じ層に設けられる。第１のコントロールゲート線３０１から第３のコントロールゲート線３０３は、表示領域に位置する薄膜トランジスタのソース及びドレイン（図示せず）と同じ層に設けられる。
【００３６】
本開示の実施例において、デマルチプレクサは第１のゲート接続部８０１から第６のゲート接続部８０６、配線接続部及び３つのデータ線接続部をさらに含む。このうち、第１から第３の薄膜トランジスタのゲート１１、２１、３１は、それぞれ第１のゲート接続部８０１から第３のゲート接続部８０３を介して第１のコントロールゲート線３０１、第３のコントロールゲート線３０３、第２のコントロールゲート線３０２に接続される。第４から第６の薄膜トランジスタのゲート４１、５１、６１は、それぞれ第４のゲート接続部８０４から第６のゲート接続部８０６を介して第２のコントロールゲート線３０２、第１のコントロールゲート線３０１、第３のコントロールゲート線３０３に接続される。
【００３７】
具体的に、第１の薄膜トランジスタのゲート１１は第１のゲート接続部８０１を介して第１のコントロールゲート線３０１と接続され、第１のゲート接続部８０１はビアを介して第１のコントロールゲート線３０１と接続される。第２の薄膜トランジスタのゲート２１は第２のゲート接続部８０２を介して第３のコントロールゲート線３０３と接続され、第２のゲート接続部８０２はビアを介して第３のコントロールゲート線３０３と接続される。第３の薄膜トランジスタのゲート３１は第３のゲート接続部８０３を介して第２のコントロールゲート線３０２に接続され、第３のゲート接続部８０３はビアを介して第２のコントロールゲート線３０２に接続される。第４の薄膜トランジスタのゲート４１は第４のゲート接続部８０４を介して第２のコントロールゲート線３０２と接続され、第４のゲート接続部８０４はビアを介して第２のコントロールゲート線３０２と接続される。第５の薄膜トランジスタのゲート５１は第５のゲート接続部８０５を介して第１のコントロールゲート線３０１と接続され、第５のゲート接続部８０５はビアを介して第１のコントロールゲート線３０１と接続される。第６の薄膜トランジスタのゲート６１は第６のゲート接続部８０６を介して第３のコントロールゲート線３０３に接続され、第６のゲート接続部８０６はビアを介して第３のコントロールゲート線３０３に接続される。
【００３８】
本開示の実施例において、配線接続部は、第２のデータ線配線２０２を第４から第６の薄膜トランジスタのソース４３、４３、６３と接続するように配置される。具体的に、配線接続部は、第１の配線接続部４０１と第２の配線接続部４０２とを含み、第１の配線接続部４０１は、第１のコントロールゲート線３０１から第３のコントロールゲート線３０３と異なる層に設けられ、第２のデータ線配線２０２及び第２の配線接続部４０２とそれぞれ接続される。第２の配線接続部４０２は、第４から第６の薄膜トランジスタのソース４３、４３、６３に接続され、第１のコントロールゲート線３０１から第３のコントロールゲート線３０３と同じ層に設けられる。これにより、データ線配線と薄膜トランジスタのソースとの接続が可能になる。
【００３９】
３つのデータ線接続部は、第１のデータ線１０１、第３のデータ線１０３、第５のデータ線１０５を第１から第３薄膜トランジスタのドレイン１２、２２、３２にそれぞれ接続するように配置される。具体的に、本開示の実施例において、３つのデータ線接続部は、第１のデータ線接続部５０１、第３のデータ線接続部、第５のデータ線接続部７０１であって、第１のデータ線接続部５０１は、第１のデータ線１０１及び第１の薄膜トランジスタのドレイン１２にそれぞれ接続され、第１の制御ゲート線３０１から第３の制御ゲート線３０３と異なる層に設けられる。第３のデータ線接続部は、第１のブランチ部６０１ａ、第２のブランチ部６０１ｂ、第３のブランチ部６０１ｃを含み、第２のブランチ部６０１ｂは、第１のブランチ部６０１ａと第３のブランチ部６０１ｃとの間に接続され、第１のブランチ部６０１ａは、第３のデータ線１０３と異なる層に設けられ、第４のデータ線１０４と交差して設けられ、さらに、第３のデータ線１０３及び第２のブランチ部６０１ｂにそれぞれ接続される。第３のブランチ部６０１ｃは、第１のコントロールゲート線３０１から第３のコントロールゲート線３０３と交差し、かつ異なる層に設けられ、第２のブランチ部６０１ｂ及び第２の薄膜トランジスタのドレイン２２にそれぞれ接続される。第５のデータ線接続部７０１は、第５のデータ線１０５及び第３の薄膜トランジスタのドレイン３２にそれぞれ接続され、第１のコントロールゲート線３０１から第３のコントロールゲート線３０３と交差し、かつ異なる層に設けられる。これにより、データ線と薄膜トランジスタのドレインとの接続が可能になる。
【００４０】
図３ａ及び図３ｂに示すように、本開示の実施例において、第１の配線接続部４０１は、ビア７９を介して第２のデータ線配線２０２と接続され、かつビア（図示せず）を介して第２の配線接続部４０２と接続される。第１のデータ線接続部５０１は、ビア７１を介して第１の薄膜トランジスタのドレイン１２に接続され、かつビア８１を介して第１のデータ線１０１に接続される。第１の薄膜トランジスタのドレイン１２はビア７２を介して第１の活性層１４に接続される。第１の薄膜トランジスタのソース１３は、ビア７３を介して第１の活性層１４に接続される。第１のブランチ部６０１ａは、ビア（図示せず）を介して第３のデータ線１０３と接続され、かつビア（図示せず）を介して第２のブランチ部６０１ｂと接続される。第３のブランチ部６０１ｃは、ビア８５を介して第２のブランチ部６０１ｂに接続され、かつビア７５を介して第２の薄膜トランジスタのドレイン２２に接続される。第２の薄膜トランジスタのドレイン２２は、ビア７４を介して第１の活性層１４に接続される。第５のデータ線接続部７０１は、ビア８６を介して第５のデータ線１０５に接続され、かつビア７６を介して第３の薄膜トランジスタのドレイン３２に接続される。第３の薄膜トランジスタのドレイン３２はビア７７を介して第２活性層３４に接続される。第３の薄膜トランジスタのソース３３は、ビア７８を介して第２の活性層３４に接続される。
【００４１】
第４の薄膜トランジスタのドレイン４２はビア８２を介して第３の活性層４４に接続される。第４の薄膜トランジスタのソース４３は、ビア８３を介して第３の活性層４４に接続される。第５の薄膜トランジスタのドレイン５２はビア８４を介して第３の活性層４４に接続される。第６の薄膜トランジスタのドレイン６２は、ビア８８を介して第４の活性層６４に接続される。第６の薄膜トランジスタのソース６３はビア８７を介して第４の活性層６４に接続される。
【００４２】
第１から第６の薄膜トランジスタのゲートは、第１のコントロールゲート線３０１から第３のコントロールゲート線３０３と異なる層に設けられる。また、デマルチプレクサが有する第１のゲート接続部８０１から第６のゲート接続部８０６は、第１から第６の薄膜トランジスタのゲートと同じ層に設けられる。
【００４３】
一部の実施例において、第１から第６の薄膜トランジスタのゲートは、第１から第３のコントロールゲート線と同じ層に設けられ、第１から第６の薄膜トランジスタのソース及びドレイン、第１から第６のデータ線、第１のデータ線配線及び第２のデータ線配線は、第１から第３のコントロールゲート線と異なる層に設けられる。
【００４４】
このような場合、前の実施例と類似して、デマルチプレクサは、第１から第６のゲート接続部、配線接続部及び３つのデータ線接続部をさらに含む。第１のゲート線接続部８０１から第６のゲート線接続部８０６は、前記第１から第６の薄膜トランジスタのゲートと異なる層に設けられる。配線接続部及び３つのデータ線接続部の構造と機能は前の実施例と類似のものであり、前の実施例にて既に詳細に説明しているため、ここでは改めて説明しない。
【００４５】
一部の実施例において、第１から第３の薄膜トランジスタのチャネル幅の比率の和は１０より大きく、第４から第６の薄膜トランジスタのチャネル幅の比率の和は１０より大きい。実験の結果、薄膜トランジスタのチャネル幅の比率の和を１０より大きく設定することで、充電電流を増加させ、充電効率を向上させることができるということが分かった。ここで、チャネル幅の比率とは、薄膜トランジスタの活性層の、ドレイン又はソースの延在方向上の長さをチャネル幅とし、薄膜トランジスタのソースとドレインとの離隔距離をチャネル長さとしたときのチャネル幅とチャネル長さの比の値である。
【００４６】
薄膜トランジスタの活性層は、非晶質シリコン、低温ポリシリコン、又は酸化物半導体を含んでよい。
【００４７】
一部の実施例において、第１の薄膜トランジスタのソース及び第２の薄膜トランジスタのソースは、第１の薄膜トランジスタ及び第２の薄膜トランジスタが共用する第１の共用ソース１３であり、第１の共用ソース１３は、少なくとも１つのビア７３を介して第１の活性層１４に電気的に接続される。第４の薄膜トランジスタのソース及び第５の薄膜トランジスタのソースは、第４の薄膜トランジスタ及び第５の薄膜トランジスタが共用する第２の共用ソース４３であり、第２の共用ソース４３は、少なくとも１つのビア８３を介して第３の活性層４４と電気的に接続される。これにより、薄膜トランジスタのチャネル幅の比を大きくすることができる。
【００４８】
本開示の実施例において、アレイ基板は、ベース基板１と、バッファ層２と、第１の絶縁層３と、第２の絶縁層４とをさらに備える。一部の実施例において、アレイ基板はトップゲート構造を採用する。図３ａと図３ｂに示すように、バッファ層２はベース基板１上に設けられる。第１から第６の薄膜トランジスタの活性層はバッファ層２上に配置される。第１の絶縁層３は、バッファ層２上、かつ第１から第６の薄膜トランジスタの活性層の上方に配置される。第１から第６の薄膜トランジスタのゲートは第１の絶縁層３上に配置される。第２の絶縁層４は第１の絶縁層３上、かつ第１から第６の薄膜トランジスタのゲートの上方に配置される。第１から第６の薄膜トランジスタのソース及びドレイン、第１から第３のコントロールゲート線、データ線配線、データ線は第２の絶縁層４上に配置される。
【００４９】
一部の実施例において、アレイ基板はボトムゲート構造を採用する。図４ａ及び図４ｂに示すように、第１から第６の薄膜トランジスタのゲートはベース基板上に設けられる。第１の絶縁層はベース基板上、かつ第１から第６の薄膜トランジスタのゲートの上方に配置される。第１から第６の薄膜トランジスタの活性層は第１の絶縁層上に配置される。第２の絶縁層は第１の絶縁層上、かつ第１から第６の薄膜トランジスタの活性層の上方に配置される。第１から第６の薄膜トランジスタのソース及びドレイン、第１から第３のコントロールゲート線、データ線配線、データ線は第２の絶縁層上に配置される。
【００５０】
上記を踏まえて、本開示が提供するアレイ基板によれば、デマルチプレクサの第１から第３の薄膜トランジスタが、デマルチプレクサの、第１制御ゲート線に隣接した側に位置し、第４から第６の薄膜トランジスタが、デマルチプレクサの、第３の制御ゲート線に隣接した側に位置するので、デマルチプレクサとデータ線及びその配線の、パネル上の配線スペースを節約することができ、中小サイズの表示パネルにおける配線の実現に有利である。
【００５１】
本開示は、本開示によって提供される上記アレイ基板を含む表示装置をさらに提供する。
【００５２】
本開示は、上記のような本開示のアレイ基板を用いることにより、デマルチプレクサとデータ線及びその配線のパネル上の配線スペースを節約し、中小サイズの表示パネル上の配線の実現に有利な表示装置を提供する。
【００５３】
上記の実施形態は、本開示の原理を説明するために採用された例示的な実施形態にすぎず、本開示はこれらに限定されないと理解されたい。当業者は本開示の精神及び趣旨から逸脱しない範囲で様々な変形及び改良を加えてよく、これら変形及び改良も本開示の請求範囲であると見なされる。
【符号の説明】
【００５４】
１  ベース基板
２  バッファ層
３  絶縁層
４  絶縁層
１１  ゲート
１２  ドレイン
１３  ソース
１４  活性層
２１  ゲート
２２  ドレイン
３１  ゲート
３２  ドレイン
３３  ソース
３４  活性層
４１  ゲート
４２  ドレイン
４３  ソース
４４  活性層
５１  ゲート
５２  ドレイン
６１  ゲート
６２  ドレイン
６３  ソース
６４  活性層
７１  ビア
７２  ビア
７３  ビア
７４  ビア
７５  ビア
７６  ビア
７７  ビア
７８  ビア
７９  ビア
８１  ビア
８２  ビア
８３  ビア
８４  ビア
８５  ビア
８６  ビア
８７  ビア
８８  ビア
１０１  データ線
１０２  データ線
１０３  データ線
１０４  データ線
１０５  データ線
１０６  データ線
２０１  データ線配線
２０２  データ線配線
３０１  コントロールゲート線
３０２  コントロールゲート線
３０３  コントロールゲート線
４０１  配線接続部
４０２  配線接続部
５０１  データ線接続部
６０１ａ  ブランチ部
６０１ｂ  ブランチ部
６０１ｃ  ブランチ部
７０１  データ線接続部
８０１  ゲート接続部
８０２  ゲート接続部
８０３  ゲート接続部
８０４  ゲート接続部
８０５  ゲート接続部
８０６  ゲート接続部
【図１】
2021520055.tif 000003
【図２】
2021520055.tif 000004
【図３ａ】
2021520055.tif 000005
【図３ｂ】
2021520055.tif 000006
【図４ａ】
2021520055.tif 000007
【図４ｂ】
2021520055.tif 000008
【国際調査報告】
2021520055.tif 000009
2021520055.tif 000010
2021520055.tif 000011
2021520055.tif 000012